(57)【特許請求の範囲】
【請求項１】
ボイラ又は冷却塔に補給水を、補給水弁を手動により開弁して注入する際の運転管理に用いる流量異常検出装置であって、
単位時間当たりの通水量を計測する流量センサと、前記流量センサの情報を適当な時間当たりの流量データに加工して出力する入力信号処理回路と、過去の一定時間の前記流量データを格納するメモリと、前記入力信号処理回路から出力された流量データと予め設定された流量異常検出値とを比較し、その結果が流量異常ではない場合、前記メモリに記憶された流量データから流量継続時間を算出して異常検出条件として設定されている注入継続時間と比較して異常を検出する判断回路とを備えたことを特徴とする流量異常検出装置。
【発明の詳細な説明】
【０００１】
【産業上の利用分野】
本発明は、ボイラ、冷却塔などの運転状態の異常を検出するもので、特に、補給水などの流量の異常を検出する流量異常検出装置に関する。
【０００２】
【従来の技術】
ボイラ、冷却塔等の運転管理において現場の諸設備にセンサを設け、当該センサが出力する計測値を基にして運転状態の異常を検出する場合、前記センサが出力する計測値と設定値とを比較し、これらの値の大小関係により異常を検出する方法が採られている。また、比較結果から即時異常と判断して警報を出力すると、計測信号の不安定性に起因して警報の多発を引き起こすために、かかる警報の多発を防ぐべく異常値の継続を確認した後、警報を発するような手順も考慮されている。
【０００３】
【発明が解決しようとする課題】
しかしながら、現場作業員が例えば、冷却塔に冷却水を補給する際、補給水弁を手動により開弁し、そのまま閉め忘れたような場合に、単位時間内で計測された補給水量が設定値を超えず、しかも、長時間に亘り計測が継続するような異常状態が発生した場合には、計測値と設定値との大小関係により異常を検出する方法では当該異常状態を検出することはできない。このため補給水が冷却塔に継続的に注入されることとなり水を無駄にするばかりでなく、必要以上に補給水が注入されることにより投入した水処理薬品が希釈されてその効果が低下するという問題が発生する。
【０００４】
本発明は上述の点に鑑みてなされたもので、単位時間内で計測された計測値からは検出されないような流量の異常を検出するようにした流量異常検出装置を提供することを目的とする。
【０００５】
【課題を解決するための手段】
上記目的を達成するために本発明によれば、ボイラ又は冷却塔に補給水を、補給水弁を手動により開弁して注入する際の運転管理に用いる流量異常検出装置であって、単位時間当たりの通水量を計測する流量センサと、前記流量センサの情報を適当な時間当たりの流量データに加工して出力する入力信号処理回路と、過去の一定時間の前記流量データを格納するメモリと、前記入力信号処理回路から出力された流量データと予め設定された流量異常検出値とを比較し、その結果が流量異常ではない場合、前記メモリに記憶された流量データから流量継続時間を算出して異常検出条件として設定されている注入継続時間と比較して異常を検出する判断回路とを備えた構成としたものである。
【０００６】
【作用】
ボイラ又は冷却塔に補給水を、補給水弁を手動により開弁して注入する際に補給水が長時間に亘り一定量連続して注入されているとき、流量センサの計測値は略一定となる。この計測値は、入力信号処理回路により適当な時間当たりの流量データに加工され、判断回路とメモリに送られる。判断回路は、入力する流量データと予め設定された流量異常検出値とを比較し、その結果が流量異常でない場合においても、メモリに記憶されている流量データから流量継続時間を算出して異常検出条件として設定されている注入継続時間と比較して流量の異常を検出する。これにより、流量データが流量異常検出値よりも低く、流量値そのものは異常ではない場合でも、流量の継続の仕方が異常であるという現象を検出することができる。
【０００７】
【実施例】
以下本発明の一実施例を添付図面に基づいて詳述する。
図１において流量センサ１は、冷却塔に冷却水を補給する注水管に設けられており、単位時間当たりの通水量に対応した信号を発生して入力信号処理回路２に伝送する。入力信号処理回路２は、流量センサ１から入力された信号を適当な時間当たりの通水量に加工して対応する流量データとして出力し、メモリ３と判断回路４とに加える。尚、流量センサ１は、単位通水量当たりの信号を出力するようなものでも良い。
【０００８】
メモリ３は、入力信号処理回路２から入力された流量データを格納すると共に、判断回路４からの要求に従って指定された流量データを当該判断回路４に出力する。判断回路４は、入力信号処理回路２から入力される現在の流量データと、メモリ３から読み出した過去の流量データとを基に現在の状況を設定し、現在の条件が異常検出条件に合致するか否かを判定し、合致した場合には外部に対して警報信号を出力する。
【０００９】
前記異常検出条件は、例えば、特定の時間内における通水量の積算値、特定の範囲を設けた通水量の一定時間の継続等、通水量と注入継続時間とにより設定されるものである。尚、前記異常検出条件は、判断回路４内に設定しても良く、或いはメモリ３内に格納しておいても良く、又はこれらの判断回路４、メモリ３とは別に異常検出条件保持回路を設け、判断回路４が必要により前記異常検出条件保持回路から呼び出すようにしても良い。
【００１０】
以下に作用を説明する。
例えば、作業員が補給水弁を開弁して冷却塔に補給水を注入した後前記補給水弁を閉め忘れたとする。この結果、補給水は、図２の補給水弁を閉めるべき時刻ｔ０  から長時間に亘り略一定量が連続的に注入されていることになる。そして、この補給水弁は、全開した場合に当該補給水弁を通過する補給水量が図２のように異常検出用に設定された流量異常検出値よりも低いものとする。流量センサ１は、補給水が一定量連続的に注入されているために略同じ計測値を出力して入力信号処理回路２に加える。入力信号処理回路２は、入力された計測値を判断回路４が必要とする単位時間当たりの流量データに加工して判断回路４に加えると共にメモリ３に格納する。
【００１１】
判断回路４は、入力信号処理回路２から入力される補給水流量のデータと流量異常検出値とを比較する。しかしながら、補給水量が、流量異常検出値よりも低いために判断回路４は、正常と判断する。次に、判断回路４は、メモリ３に格納されている過去の一定期間の通水量のデータを読み出して時刻ｔ０  から時刻ｔ１  までの補給水量が連続して供給されている時間（補給水異常継続時間）を算出する。判断回路４は、この算出された補給水異常継続時間が、異常検出条件として設定された注入継続時間を超えたとき、給水状態が異常であると判断し、警報信号を出力する。従って、この警報信号により補給水量の異常への対応が可能となる。
【００１２】
尚、単に補給水の注入継続時間を見るだけでなく、特定範囲内の流量であることを条件に加えても良く、また、設定される流量範囲を時間と共に変化する補給水パターンとして登録するようにしてもよい。
【００１３】
【発明の効果】
以上説明したように本発明によれば、水処理システムにおける異常な通水量を検出することが可能となると共に、操作ミス等に起因する給水弁の閉め忘れ等も検出することができ、水処理システムのより安全な運転が可能となるという効果がある。
【図面の簡単な説明】
【図１】本発明に係る流量異常検出装置の一実施例を示すブロック図である。
【図２】水処理システムにおける異常な通水量とその継続時間との関係を示すグラフである。
【符号の説明】
１  流量センサ
２  入力信号処理回路
３  メモリ
４  判断回路
【図１】
0003599755.tif 000002
【図２】
0003599755.tif 000003